(57)【要約】【課題】超音波式ガスメータにおいて、少量の水の浸入を早い段階で検出する。【解決手段】超音波式ガスメータは、ガス流路内に多層ユニット１を備えている。多層ユニット１は複数の整流板３を多層に配置したものであり、ガスの流速を均一にする。センサ接合部分Ｓから超音波センサのトランスジューサからの超音波を発し、ガスの流量を検出する。超音波センサの出力によりセンサ接合部分Ｓに溜まった水を検出する。筒状ケース１Ａの上面１ａに土手部２１を形成する。土手部２１は入口側開口部１−１からセンサ接合部分Ｓまで形成する。センサ接合部分Ｓの横にパッキン４を配置する。筒状ユニット１の上面１ａに落下する水滴を土手部２１の内側の水路２２にによりセンサ接合部分Ｓに溜めるようにする。または、筒状ケース１Ａに別体の導水構造体を取り付ける。【選択図】図１
2010243421.tif 000002
【特許請求の範囲】
【請求項１】
ガス流路内に設けられ、直方体筒状の筒状ケース内に整流板を多層に配置した多層ユニットと、該多層ユニット内を流れるガスの流速を超音波で検出する超音波式流速センサと、前記超音波式流速センサの出力に基づいて、ガス流路内に水が浸入したか否かを判断する判断手段とを備えた超音波式ガスメータであって、
前記多層ユニットの前記筒状ケースに、該多層ユニットの入口側開口部から前記超音波式流速センサが接合されるセンサ接合部分まで水を導く導水構造を備えたことを特徴とする超音波式ガスメータ。
【請求項２】
前記導水構造が、前記筒状ケースの上面に形成された土手部であって、前記入口側開口部からセンサ接合部分まで伸びる土手部を有し、該土手部の内側を水路として構成されていることを特徴とする請求項１に記載の超音波式ガスメータ。
【請求項３】
前記導水構造が、前記筒状ケースの上面を窪ませた前記入口側開口部からセンサ接合部分まで伸びる水路で構成されていることを特徴とする請求項１に記載の超音波式ガスメータ。
【請求項４】
前記導水構造が、前記筒状ケースの上面に形成された傾斜面と、該傾斜面の周囲に形成された土手部とを有することを特徴とする請求項１に記載の超音波式ガスメータ。
【請求項５】
前記導水構造が、前記筒状ケースの側部に形成された水路と、該水路及び筒状ケースの上面の前記入口側開口部側に形成それぞれ形成された土手部とを有することを特徴とする請求項１に記載の超音波式ガスメータ。
【請求項６】
前記センサ接合部分に前記筒状ケースと前記ガス流路の内壁とをシールするパッキンを備えたことを特徴とする請求項１乃至５のいずれか一項に記載の超音波式ガスメータ。
【発明の詳細な説明】
【技術分野】
【０００１】
本発明は、超音波式流速センサによりガスの流速の計測が行われる超音波式ガスメータに関する。
【背景技術】
【０００２】
従来、超音波式流速センサを使用した超音波式ガスメータとして、例えば特公平７−１１９６３８号公報（特許文献１）、特開２００８−５１５６２号公報（特許文献２）に開示されたものがある。
【０００３】
特許文献１の超音波式ガスメータは、ガス流路内に一定距離だけ離れて配置された超音波周波数で作動する例えば圧電式振動子からなる２つの音響トランスジューサによって超音波式流速センサを構成している。
【０００４】
そして、一方のトランスジューサの発生する超音波信号を他方のトランスジューサに受信させる動作を行って超音波信号がトランスジューサ間で伝播される伝播時間を計測し、この計測した伝播時間に基づいてガス流速を間欠的に求め、この流速にガス流路の断面積と間欠時間とを乗じて通過流量を求めている。さらに、この通過流量を積算して求めた積算流量を表示することによって、超音波式ガスメータを構成することができる。
【０００５】
また、特許文献２と同様に、従来の超音波式ガスメータ（超音波式ガスメータ）の構造は、例えば図８のようになっている。このガスメータ１００は、ガス供給源に接続されるガス流入口５ａと燃焼器等に接続されるガス流出口５ｂの間に形成された中間流路部５ｃ内に、ガスの流れを整流する多層ユニット６が設けられている。そして、この多層ユニット６の側部に配置された図示しない超音波式流速センサにより、多層ユニット６内を流れるガスの流速を計測している。
【０００６】
ところで、特に都市ガスの場合、非常に稀ではあるが、地震、台風、地盤沈下等により、ガス配管に亀裂が入り、そこから雨水が浸入し、水が超音波式ガスメータの流路内まで浸入してしまうことがある。流路内でも特に多層流路に水が溜まると、ガスが通過する流路が狭くなることにより流速が早くなったり、溜まった水がガスの流れにより、波打ったり、飛び跳ねたり、また、超音波式流速センサに水が付着したりする。超音波は、同じ媒質であれば、均一に伝播するが、ガスと水のように、異なった媒質の境界面では、反射、散乱、屈折、減衰が生じるため、超音波の伝播が不安定となる。よって、流量の誤計測が発生することになる。
【０００７】
そこで、超音波式流速センサの、他方のトランスジューサで受信された超音波信号の増幅度が小さくなり、且つ、伝播時間が小さくなる場合に、ガス流路内がほぼ満水状態となったと判断する超音波式ガスメータが提案されている。
【先行技術文献】
【特許文献】
【０００８】
【特許文献１】特公平７−１１９６３８号公報
【特許文献２】特開２００８−５１５６２号公報
【発明の概要】
【発明が解決しようとする課題】
【０００９】
しかし、従来の超音波式ガスメータでは、ガス流路内がほぼ満水状態とならない限り、水の浸入を検出することができず、少量の水の浸入については検出することができない。
【００１０】
例えば、図８において、ガス配管経由で、超音波式ガスメータ内に水が浸入して来ると、図８に示すガス流入口５ａから浸入する水滴が、多層ユニット６の上面６ａ付近に落下する。そして、この多層ユニット６の上面６ａ付近に落下した水滴は、付近の底５ｄまで垂れ、この底５ｄ付近に溜まり、次第に堆積し、やがて、その水位が増して来ると、水は底５ｄ付近の多層ユニット６の内部にまで浸入して来る。そして、更に水位が増し、多層ユニット６や図示しない超音波式流速センサの例えば半分程度が水没すると、この時点にならないと、水の浸入を検知して警報を出すことができない。
【００１１】
このように、従来の技術では、一度に大量の水が流入すれば、即、検知することができるが、少しずつ水が堆積するような場合、長期に亘って流量の誤計測が継続する可能性があり、ガス事業者及び使用者としては、好ましくない。もっと、早い段階で、少量の水の浸入を検知して、警告を出すことが望ましい。
【００１２】
本発明はこのような従来の課題を解決するためになされたものであり、少量の水の浸入を早い段階で検知して判断することができる超音波式ガスメータを提供することを課題とする。
【課題を解決するための手段】
【００１３】
請求項１の超音波式ガスメータは、ガス流路内に設けられ、直方体筒状の筒状ケース内に整流板を多層に配置した多層ユニットと、該多層ユニット内を流れるガスの流速を超音波で検出する超音波式流速センサと、前記超音波式流速センサの出力に基づいて、ガス流路内に水が浸入したか否かを判断する判断手段とを備えた超音波式ガスメータであって、前記多層ユニットの前記筒状ケースに、該多層ユニットの入口側開口部から前記超音波式流速センサが接合されるセンサ接合部分まで水を導く導水構造を備えたことを特徴とする。なお、筒状ケースと別体の部材により導水構造体を構成してこの導水構造体を筒状ケースに固定するようにしてもよい。
【００１４】
請求項２の超音波式ガスメータは、請求項１に記載の超音波式ガスメータであって、前記導水構造が、前記筒状ケースの上面に形成された土手部であって、前記入口側開口部からセンサ接合部分まで伸びる土手部を有し、該土手部の内側を水路として構成されていることを特徴とする。
【００１５】
請求項３の超音波式ガスメータは、請求項１に記載の超音波式ガスメータであって、前記導水構造が、前記筒状ケースの上面を窪ませた前記入口側開口部からセンサ接合部分まで伸びる水路で構成されていることを特徴とする。
【００１６】
請求項４の超音波式ガスメータは、請求項１に記載の超音波式ガスメータであって、前記導水構造が、前記筒状ケースの上面に形成された傾斜面と、該傾斜面の周囲に形成された土手部とを有することを特徴とする。
【００１７】
請求項５の超音波式ガスメータは、請求項１に記載の超音波式ガスメータであって、前記導水構造が、前記筒状ケースの側部に形成された水路と、該水路及び筒状ケースの上面の前記入口側開口部側に形成それぞれ形成された土手部とを有することを特徴とする。
【００１８】
請求項６の超音波式ガスメータは、請求項１乃至５のいずれか一項に記載の超音波式ガスメータであって、前記センサ接合部分に前記筒状ケースと前記ガス流路の内壁とをシールするパッキンを備えたことを特徴とする。
【発明の効果】
【００１９】
請求項１の超音波式ガスメータによれば、ガス流路内に浸入し、多層ユニットの筒状ケースの上面に落下した水滴は、この筒状ケースに形成された導水構造によりセンサ接合部分まで導かれるので、少量の水の浸入を超音波式流速センサにより早い段階で検知することができる。また、新たに水分センサ等の追加部品を備える必要がないことから、コストを上げることなく、水の浸入を検知することができる。
【００２０】
請求項２の超音波式ガスメータによれば、多層ユニットの筒状ケースの上面に落下した水滴が徐々に堆積したとしても、土手部により、水滴は、付近の底まで垂れることはなく、この土手部の内側の水路により水滴をセンサ接合部分まで確実に導くことができ、請求項１の効果に加えて、水の浸入を更に早い段階で検知することができる。
【００２１】
請求項３の超音波式ガスメータによれば、多層ユニットの筒状ケースの上面に落下した水滴が徐々に堆積したとしても、筒状ケースの上面を窪ませた水路に入り込み、水滴は付近の底まで垂れることはなく、この水路の入口側開口部側から水滴をセンサ接合部分まで確実に導くことができ、請求項１の効果に加えて、水の浸入を更に早い段階で検知することができる。
【００２２】
請求項４の超音波式ガスメータによれば、多層ユニットの筒状ケースの上面に落下した水滴が徐々に堆積したとしても、土手部により、水滴は、付近の底まで垂れることはなく、この土手部の内側の傾斜面に沿って水滴をセンサ接合部分まで確実に導くことができ、請求項１の効果に加えて、水の浸入を更に早い段階で検知することができる。
【００２３】
請求項５の超音波式ガスメータによれば、多層ユニットの筒状ケースの上面に落下した水滴が徐々に堆積したとしても、筒状ケースの上面で入口側開口部側に形成された土手部により、水滴は付近の底まで垂れることはなく、筒状ケースの側部に形成された水路に流れ、さらに、この水路の入口側開口部側に形成された土手部により、水滴は付近の底まで垂れることはなく、さらに、水路により水滴をセンサ接合部分まで確実に導くことができ、請求項１の効果に加えて、水の浸入を更に早い段階で検知することができる。
【００２４】
請求項６の超音波式ガスメータによれば、導水構造によりセンサ接合部分まで導かれた水は、さらに、パッキンの内側に溜まるので、請求項１乃至５の効果に加えて、さらに水の浸入を更に早い段階で検知することができる。
【図面の簡単な説明】
【００２５】
【図１】本発明の実施形態の超音波式ガスメータにおける多層ユニットの第１実施例を示す斜視図である。
【図２】本発明の実施形態の超音波式ガスメータにおける多層ユニットの第２実施例を示す斜視図である。
【図３】本発明の実施形態の超音波式ガスメータにおける多層ユニットの第３実施例を示す斜視図である。
【図４】本発明の実施形態の超音波式ガスメータにおける多層ユニットの第４実施例を示す斜視図である。
【図５】本発明の実施形態の超音波式ガスメータにおける多層ユニットの第５実施例を示す斜視図である。
【図６】本発明の実施形態の超音波式ガスメータの要部を示す断面図である。
【図７】本発明の実施形態に係る超音波式ガスメータの要部フロック図である。
【図８】従来の超音波式ガスメータの要部を示す断面図である。
【発明を実施するための形態】
【００２６】
次に、本発明の実施の形態を図面を参照して説明する。図１は実施の形態における多層ユニット１の第１実施例を示す斜視図、図２は実施の形態における多層ユニット１の第２１実施例を示す斜視図、図３は実施の形態における多層ユニット１の第３実施例を示す斜視図、図４は実施の形態における多層ユニット１の第４実施例を示す斜視図、図５は実施の形態における多層ユニット１の第５実施例を示す斜視図、図６は本発明の実施形態に係るガスメータの要部を示す断面図、図７は実施の形態の超音波式ガスメータ１０の要部フロック図である。なお、図６において前掲の図８と同様な部材には同符号を付記してある。
【００２７】
図６に示すように、超音波式ガスメータ１０は従来の多層ユニット６を改良した多層ユニット１を備えている。なお、この図６の多層ユニット１は後述の第１実施例のものである。また、メータボディには、ガス供給源の配管が連通するガス流入口５ａと、燃焼器等が接続されるガス流出口５ｂと、ガス流入口５ａと連通する入口流路部５１と、ガス流出口５ｂと連通する出口流路部５２と、この入口流路部５１と出口流路部５２との間を連通し、メータボディと底蓋５ｅの間に形成された中間流路部５ｃとを備えている。そして、中間流路部５ｃ内に多層ユニット１が設けられ、この多層ユニット１の側部に配置された図示しない超音波式流速センサにより、多層ユニット１内を流れるガスの流速を計測する。
【００２８】
入口流路部５１、出口流路部５２及び中間流路部５ｃは、互いの間が気密を保った状態で、互いに固定されている。入口流路部５１、中間流路部５ｃ及び出口流路部５２は、順に内側に被測定流体としてのガスが流れる。このため、入口流路部５１、中間流路部５ｃ及び出口流路部５２の内側の空間は、ガスの流路を構成している。そして、中間流路部５ｃ内に配設された多層ユニット１の上側の面である上面部１ａには、後述の導水構造２が形成されている。さらに、この多層ユニット１の一部は後述する超音波式流速センサに接合されるセンサ接合部分Ｓとなっている。なお、中間流路部５ｃの上流側に弁閉によってガス流路を遮断するガス遮断弁２０が設けられている。
【００２９】
図７に示すように、超音波式ガスメータ１０は、ガス流路内に距離Ｌだけ離され、かつ、ガス流方向Ｙに対して所定角度をなすように、互いに対向して配置された２つの音響トランスジューサＴＤ１，ＴＤ２を有している。この音響トランスジューサＴＤ１，ＴＤ２は超音波式流速センサを構成している。
【００３０】
２つの音響トランスジューサＴＤ１，ＴＤ２は、超音波周波数で作動する例えば圧電式振動子であり、各トランスジューサＴＤ１，ＴＤ２はトランスジューサインタフェース（Ｉ／Ｆ）回路１１ａ，１１ｂをそれぞれ介して送信回路１２及び受信回路１３に接続されている。送信回路１２は、マイクロコンピュータ等で構成された制御部１４の制御の下で、トランスジューサＴＤ１，ＴＤ２の一方を駆動して超音波信号を発生させる信号をパルスバーストの形で送信する。
【００３１】
受信回路１３は、ガス流路を通過した超音波信号を受信した他方のトランスジューサＴＤ１，ＴＤ２からの信号を入力して超音波信号を所定の強さまで増幅する増幅器１３ａを内蔵している。この増幅器１３ａの増幅度は制御部１４によって調整することができる。
【００３２】
制御部１４は、プログラムに従って各種の処理を行う。そして、２つのトランスジューサＴＤ１，ＴＤ２を用いて、サンプリング時間毎にガス流速を計測し、計測したガス流速にガス流路の断面積を乗じて瞬時流量を計測する計測機能を備えている。また、本実施形態において制御部１４は、受信された超音波信号の増幅度に基づいてガス流路内に水が浸入したか否かを判断する判断機能（判断手段）を備えており、特に、ＣＰＵ１４ａは、ガス流路内における水の所定量未満の浸入であるか、所定量以上の浸入であるかを区別して判断できるようになっている。
【００３３】
ここで、受信された超音波信号の増幅度は浸入した水の量により変化する。例えば、ガス流路内に２０〜７０ｃｃなどの少量の水が浸入した場合、水とガスとの境界面において超音波が散乱、屈折及び減衰等し、伝搬が不安定となる。このため、受信された超音波信号は小さくなり易く、増幅度は増加する傾向にある。一方、ガス流路内に８０ｃｃなどの多量の水が浸入し、ほぼ満水状態となった場合、音響トランスジューサＴＤ１，ＴＤ２間は同じ媒質によって満たされることとなる。このため、水とガスの境界面がなく、散乱、屈折及び減衰等が発生し難くなり、増幅度は減少傾向にある。このような理由から、増幅度は少量の水の浸入に対しては増加傾向にあり、多量の水の浸入に対しては減少傾向にある。
【００３４】
したがって、制御部１４により、増幅度を監視することにより所定量未満の水が浸入したか、あるいは所定量以上の水が浸入したと判断することができる。なお、超音波の伝搬時間の変化により水の浸入を検出してもよい。また、浸水量が０ｃｃである場合、瞬時流量はほぼ正確に測定されるめ、瞬時流量の最大値と最小値との差は、非常に小さくなる。ところが、水が浸入した場合、水の影響を受けて瞬時流量の最大値と最小値との差は所定流量以上となる。したがって、制御部１４で瞬時流量の最大値と最小値の差によって水が浸入を検出してもよい。
【００３５】
次に、多層ユニット１の各実施例を説明する。図１〜図４に示すように、各実施例の多層ユニット１は直方体筒状の筒状ケース１Ａ内に整流板３を収容して形成されており、前記入口流路部５１側に開口する入り口側開口部１−１と、前記出口流路部５２側に開口する出口側開口部１−２とを有している。また、筒状ケース１Ａの側面の入り口側開口部１−１側に近い箇所に開口部１ｂが形成されており、この開口部１ｂの周囲がセンサ接合部分Ｓ（Ｓ′）となっている。そして、このセンサ接合部分Ｓを介して、内部のガスに対して前記音響トランスジューサＴＤ２から超音波が発せられる。なお、整流板３は、平板状に形成されており、互いに間隔をあけて平行に多層に配置され、筒状ケース１Ａの中央部内に収容されている。整流板３は、筒状ケース１Ａの長手方向と平行に配置されており、この多層ユニット１内を流れるガスの流速を一様にする。これにより、ガスの流量を正確に測定することができる。
【００３６】
図１に示す第１実施例の多層ユニット１は、筒状ケース１Ａの上面１ａに、入口側開口部１−１の上辺部分から筒状ケース１Ａの上面１ａの両側に沿って開口部１ｂに延びる土手部２１が形成され、この土手部２１によりその内側に水路２２が形成されている。そして、これら土手部２１と水路２２は、筒状ケース１Ａの上面１ａにセンサ接合部分Ｓまで延び、水をセンサ接合部分Ｓまで導く導水構造２を構成している。また、センサ接合部分Ｓの周囲にはパッキン４を備えている。そして、入口側開口部１−１の上部（上面１ａ上）に落下した水滴はこの土手部２１に囲われたまま開口部１ｂ、すなわちセンサ接合部分Ｓまで流れる。さらに、このセンサ接合部分Ｓへ流れ出した水は、パッキン４の内側に溜まり、パッキン４により、水がセンサ接合部分Ｓの周囲へ流れ出すことがなく、ちょうど多層ユニット１の超音波センサ接合部分Ｓに溜まるようになる。これにより、少量の水でも早い段階で検出することができる。なお、多層ユニット１と前記底蓋５ｅとは、組み立て上、密着してはおらず、多少隙間（遊び）が設けられている。そして、パッキン４は、その隙間にもちょうど合うように設けられている。また、このパッキン４は、例えば、水を通過させない独泡スポンジ等で構成し、両面テープで多層ユニット１や裏蓋５ｅに貼り付けるようにしてもよい。
【００３７】
図２に示す第２実施例の多層ユニット１は、筒状ケース１Ａの上面１ａを窪ませることにより導水構造としての水路２が形成されている。なお、この第２実施例の多層ユニット１も、図６に示す中間流路部５ｃ内に配設される。そして、第２実施例における水路２は、入口側開口部１−１の上辺部分か開口部１ｂの上辺まで形成され、筒状ケース１Ａの上面１ａにセンサ接合部分Ｓまで延びる水路２を構成し、水をセンサ接合部分Ｓまで導く作用をする。また、センサ接合部分Ｓの周囲にパッキン４を備えている。これにより、入口側開口部１−１の上部（上面１ａ上）に落下した水滴はこの水路２内に沿って開口部１ｂ、すなわちセンサ接合部分Ｓまで流れる。さらに、このセンサ接合部分Ｓへ流れ出した水は、パッキン４の内側に溜まり、パッキン４により、水がセンサ接合部分Ｓの周囲へ流れ出さことがなく、ちょうど多層ユニット１の超音波センサ接合部分Ｓに溜まるようになる。これにより、少量の水でも早い段階で検出することができる。
【００３８】
図３に示す第３実施例の多層ユニット１は、筒状ケース１Ａの上面１ａに、入口側開口部１−１の上辺片側端部から筒状ケース１Ａの上面１ａに沿って開口部１ｂの片側まで延びるＬ字状の土手部２３が形成されている。なお、この第３実施例の多層ユニット１も、図６に示す中間流路部５ｃ内に配設される。そして、第３実施例においては、土手部２３の内側で、入口側開口部１−１の上辺から出口側開口部１−２側に向かって僅かに傾斜した傾斜面２４と底面２５とが形成されている。この土手部２３、傾斜面２４及び底面２５は、土手部２２の内側において、筒状ケース１Ａの上面１ａにセンサ接合部分Ｓまで水を導く導水構造２を構成している。また、センサ接合部分Ｓの周囲にパッキン４を備えている。そして、入口側開口部１−１の上部（上面１ａ上）に落下した水滴はこの土手部２３囲われたまま開口部１ｂ、すなわちセンサ接合部分Ｓまで流れる。さらに、このセンサ接合部分Ｓへ流れ出した水は、パッキン４の内側に溜まり、パッキン４により、水がセンサ接合部分Ｓの周囲へ流れ出さことがなく、ちょうど多層ユニット１の超音波センサ接合部分Ｓに溜まるようになる。これにより、少量の水でも早い段階で検出することができる。
【００３９】
図４に示す第４実施例の多層ユニット１は、筒状ケース１Ａの側部に、入口側開口部１−１の上辺部分から伸びる水路２６と、水路２６の入口側開口部１−１側に形成された土手部２７と、筒状ケース１Ａの上面１ａの入口側開口部１−１側に形成された土手部２８とを有している。そして、これら水路２６、土手部２７，２８は、センサ接合部分Ｓ′まで水を導く導水構造２を構成している。これにより、入口側開口部１−１の上面１ａに落下した水滴は。筒状ケース１Ａの上面１ａで入口側開口部１−１側に形成された土手部２８により、水滴は付近の底まで垂れることはなく、水路２６に流れる。さらに、この水路２６の入口側開口部１−１側に形成された土手部２７により、水滴は付近の底まで垂れることはなく、さらに、水路２６により水滴をセンサ接合部分Ｓ′まで確実に導くことができる。これにより、少量の水でも早い段階で検出することができる。
【００４０】
ここで、この図４には、中間流路部５ｃの一部を形成する側壁５ｃ１、５ｃ２が図示されている。側壁５ｃ１、５ｃ２には、前記音響トランスジューサＴＤ１，ＴＤ２が取り付けられるトランスジューサ取り付け部５ｃ３，５ｃ４が形成されている。ガスは入口側開口部１−１から出口側開口部１−２に流れるが、このガスの流れの上流側になるトランスジューサ取り付け部５ｃ４の近傍がセンサ接合部分Ｓであり、ガスの流れの下流側になるトランスジューサ取り付け部５ｃ３の近傍がセンサ接合部分Ｓ′である。
【００４１】
前記第１〜３実施例では、導水構造２は上流側のセンサ接合部分Ｓに水を導く構成になっているが、この第４実施例の導水構造２は下流側のセンサ接合部分Ｓ′に水を導く構成になっている。導水構造２は、上流側のセンサ接合部分Ｓまたは下流側のセンサ接合部分Ｓ′のいずれに水を導いてもよい。また、両方のセンサ接合部分Ｓ，Ｓ′に水を導くことも考えられるが、片方に集中して水を導く方が確実に水を溜めることができる。
【００４２】
なお、この第４実施例では、側部の水路２６と筒状ケース１Ａとの幅が中間流路部５ｃの幅に整合しているので、パッキンを備えていないが、センサ接合部分Ｓ′の周囲に前記実施例のようなパッキンを備えていてもよい。また、この第４実施例において、土手部２７，２８により水滴の落下を防止てきるが、側部の水路２６だけでもよい。また、この水路２６をセンサ接合部分Ｓ′にかけて傾斜させてもよい。
【００４３】
図５に示す第５実施例の多層ユニット１は、筒状ケース１Ａの上面１ａに導水構造を構成する導水構造体２を備えている。この導水構造体２は筒状ケース１Ａと別部材であり、接着等により筒状ケース１Ａにとり付けられている。筒状ケース１Ａと導水構造体２とはネジ止めして固定してもよい。導水構造体２は、入口側開口部１−１の上辺部分の位置から筒状ケース１Ａの上面１ａの両側に沿って開口部１ｂに延びる土手部２９を有し、この土手部２９によりその内側に水路２９ａが形成されている。そして、これら土手部２９と水路２９ａは、筒状ケース１Ａの上面１ａにセンサ接合部分Ｓまで延び、水をセンサ接合部分Ｓまで導く導水構造２を構成している。なお、図示は省略するが、センサ接合部分Ｓの周囲には前記実施例と同様なパッキンを備えている。そして、入口側開口部１−１の上部に落下した水滴はこの土手部２９に囲われたまま開口部１ｂ、すなわちセンサ接合部分Ｓまで流れ、センサ接合部分Ｓへ流れ出した水は、パッキンの内側に溜まる。これにより、前記各実施例と同様に少量の水でも早い段階で検出することができる。
【００４４】
また、この第５実施例では導水構造体２が筒状ケース１Ａと別部材で構成されているので、次のような効果がある。多層ユニット１の筒状ケース１Ａに土手部、窪み部、傾斜部を設けるためには、多層ユニット１の成型用金型に、金型の抜き方向とは直交した方向にスライダーを設ける必要があり、多層ユニット１の成型が複雑になり、成型工数が掛かり、品質も安定しないという問題がある。しかし、この第５実施例のように、別体の導水構造体を成型品で作製すれば、多層ユニット１自体の成型は工数も増加せず、品質も安定する。
【００４５】
以上の各実施例における水路や土手部を各種組み合わせることもできる。例えば、図２に示す第２実施例の構成や図３に示す第３実施例の構成に加えて、上面１ａの入口側開口部１−１側端部に第１実施例あるいは第４実施例における土手部２２，２６等の構造を設けてもよい。また、図４に示す第４実施例の構成に加えて、上面１ａにこの上面１ａを窪ませた水路を形成するようにしてもよい。
【００４６】
また、第５実施例の導水構造体２は土手部２９のみを設けたタイプであるが、前記各実施例の構造を多様に組み合わせてもよい。例えば、別体の導水構造体を窪ませて水路を構成させてもよいし、別体の導水構造体の上面に傾斜面を設け、周囲に土手部を構成してもよいし、別体の導水構造体にて、筒状ケースの側部に水路を形成してもよい。
【００４７】
実施形態の超音波式ガスメータは超音波式流速センサの出力を利用して水の浸入を検出するものであるが、この超音波式流速センサの出力を利用するものであれば、水の浸入を検出する方法は実施形態のものに限らず、その他の方法でもよい。
【符号の説明】
【００４８】
１          多層ユニット
１Ａ        筒状ケース
２          導水構造、導水構造体
２１        土手部
２２        水路
２３        土手部
２４        傾斜面
２５        底面
２６        水路
２７，２８，２９  土手部
３          整流板
４          パッキン
Ｓ，Ｓ′    センサ接合部分
【図１】
2010243421.tif 000003
【図２】
2010243421.tif 000004
【図３】
2010243421.tif 000005
【図４】
2010243421.tif 000006
【図５】
2010243421.tif 000007
【図６】
2010243421.tif 000008
【図７】
2010243421.tif 000009
【図８】
2010243421.tif 000010